(57)【要約】【課題】本発明はプリペイドカードの使用回数が限度回数に達したときの新規カードの取り忘れを防止することを課題とする。【解決手段】設定器１４の制御部は、燃料の供給が開始される前にカードリーダ・ライタ３６に挿入されたプリペイドカード７１が予め設定された所定の使用回数に達したか否かを判定し、当該プリペイドカード７１の使用回数が予め設定された所定回数に達したものと判定された場合、燃料の供給が開始される前に当該プリペイドカード７１に記憶されたデータが書き込まれた新規カードを発行するため、顧客が新規カードの発行に気付かずに帰ってしまうことを防止できる。さらに、当該プリペイドカード７１が使用限度に達したことを顧客に知らせると共に、新規カードが発行されることを予告することができ、顧客が新規カードの取り忘れを防止できる。【選択図】　　　　図１
2004035100.tif 000002
【特許請求の範囲】
【請求項１】
予め支払われた金額のデータを記録されたカードが挿入されるカードデータ読み取り・書き込み装置と、該カードデータ読み取り・書き込み装置に挿入されたカードから読み取られた情報に基づいて燃料を供給する燃料供給装置とを備えてなる燃料供給システムにおいて、
新規カードを保管する新規カード保管手段と、
前記燃料供給装置による燃料の供給が開始される前に前記カードデータ読み取り・書き込み装置に挿入されたカードが予め設定された所定の使用回数に達したか否かを判定する使用回数判定手段と、
該使用回数判定手段により当該カードの使用回数が予め設定された所定回数に達したものと判定された場合、前記燃料供給装置による燃料の供給が開始される前に当該カードに記憶されたデータを前記新規カード保管手段に保管されている新規カードに書込み、当該新規カードを発行するカード発行手段と、
を備えてなることを特徴とする燃料供給システム。
【請求項２】
前記カード発行手段により発行された新規カードが、当該カード発行手段より抜き取られたか否かを判定するカード抜き取り判定手段と、
該カード抜き取り判定手段が新規カードの抜き取りがされていないことを検出した場合には、新規カードの取り忘れを報知する報知手段と、
を設けたことを特徴とする請求項１記載の燃料供給システム。
【発明の詳細な説明】
【０００１】
【発明の属する技術分野】
本発明は、燃料供給システムに係り、特にカードを用いて料金の精算を行うよう構成された燃料供給システムに関する。
【０００２】
【従来の技術】
例えば、セルフサービス方式の計量機が設置された給油所等では、運転者（顧客）自身が給油作業の設定、給油作業、給油料金の精算を行うようになっている。そのため、運転者は、給油を行う前に給油する油種や給油量等のスイッチを有する設定器により所定の油種、給油量または給油金額を入力する設定操作を行った後、給油料金の精算方法を指定するようになっている。
【０００３】
給油料金の精算方法としては、現金で支払う方法、またはプリペイドカードで支払う方法等がある。現金で支払う場合、給油所が発行する会員カードを使用すると、通常の現金価格よりも値引きされた単価で算出された給油料金で精算することができる。
【０００４】
また、プリペイドカードで支払う場合、給油所側では、料金が先払いなので、料金回収を確実に行えると共に、顧客側では給油料金を現金で支払う場合よりも割引が大きいといったメリットがあり、プリペイドカードの利用が促進される傾向にある。
【０００５】
セルフサービス方式の計量機の近傍に給油金額の自動支払機が設けられているアイランド精算方式の場合、プリペイドカードがカードリーダ・ライタに挿入された後に油種を選択すると、選択された油種に対応する油種単価が表示部に表示されると共に、プリペイドカードの残額分のプリセット給油が自動的に設定される。そして、所望の油種（レギュラー、ハイオク、軽油等）の給油ノズルをノズル掛けから外してノズルレバーを開弁操作することで給油が開始される。
【０００６】
計量機に搭載された流量計の計測値（車両への給油量）がプリセット給油量に達する前に満タンとなって自動停止になった場合、給油終了後、プリペイドカードに記録された金額から給油金額を減算した残金データをプリペイドカードに書き込んでプリペイドカードを返却する。
【０００７】
さらに、カードリーダ・ライタでは、プリペイドカードの裏面に給油料金の精算したあとの残金を印字しており、入金による加金があった場合には、入金金額を加算した残金を印字する。そして、プリペイドカードの裏面には、例えば、３０回までの精算データを印字することが可能になっており、カードリーダ・ライタでは、プリペイドカードの使用回数が３１回に達すると、新規のプリペイドカードを発行する。その場合、給油が終了した時点でそのときの給油料金を演算してプリペイドカードに記憶されて金額データから今回の給油料金を減算した後、使用済みのプリペイドカードを排出し、続いて、新規カードに今回給油による残金データを磁気記録すると共に、カード裏面に残金を印字して排出する。
【０００８】
【発明が解決しようとする課題】
しかしながら、従来の燃料供給システムでは、カードリーダ・ライタに挿入されたプリペイドカードが裏面に所定回数の残金が印字されている場合、当該プリペイドカードを排出して顧客に返却するが、顧客が排出されたプリペイドカードを受け取ったときに当該プリペイドカードの使用回数が限界であることに気付かず、新規カードを受け取らないで帰ってしまうおそれがあった。
【０００９】
特に顧客としては、例えば、３０回までの精算データを印字することが可能なプリペイドカードの場合、給油を３１回行うと、新規カードが発行されるので、いつものように給油が終了してプリペイドカードを受け取った時点で新規カードが発行されることに気付かないことがあり、新規カードの発行を待たずに車両を発車させてしまう場合があった。
そこで、本発明は上記課題を解決した燃料供給システムを提供することを目的とする。
【００１０】
【課題を解決するための手段】
本発明は上記課題を解決するため、以下のような特徴を有する。
【００１１】
上記請求項１の発明は、予め支払われた金額のデータを記録されたカードが挿入されるカードデータ読み取り・書き込み装置と、カードデータ読み取り・書き込み装置に挿入されたカードから読み取られた情報に基づいて燃料を供給する燃料供給装置とを備えてなる燃料供給システムにおいて、新規カードを保管する新規カード保管手段と、燃料供給装置による燃料の供給が開始される前にカードデータ読み取り・書き込み装置に挿入されたカードが予め設定された所定の使用回数に達したか否かを判定する使用回数判定手段と、使用回数判定手段により当該カードの使用回数が予め設定された所定回数に達したものと判定された場合、燃料供給装置による燃料の供給が開始される前に当該カードに記憶されたデータを新規カード保管手段に保管されている新規カードに書込み、当該新規カードを発行するカード発行手段と、を備えており、給油前に新規カードを発行することで顧客が新規カードの発行に気付かずに帰ってしまうことを防止できる。
【００１２】
また、請求項２の発明は、カード発行手段により発行された新規カードが、当該カード発行手段より抜き取られたか否かを判定するカード抜き取り判定手段と、カード抜き取り判定手段が新規カードの抜き取りがされていないことを検出した場合には、新規カードの取り忘れを報知する報知手段と、を設けたものであり、当該カードが使用限度に達して新規カードが発行された際に新規カードの取り忘れを防止できる。
【００１３】
【発明の実施の形態】
以下、図面と共に本発明の実施の形態について説明する。
図１は本発明になる燃料供給システムの一実施例の構成を示すブロック図である。
図１に示されるように、燃料供給システムとしての給油システム１０は、大略、給油エリア１１に複数のセルフサービス給油方式の計量機（燃料供給装置）１２（１２１〜１２ｎ）と、各計量機１２（１２１〜１２ｎ）に設けられた設定器１４（１４１〜１４ｎ）と、事務所１６内に設置された管理コンピュータ１８とからなる。
【００１４】
管理コンピュータ１８は、モニタ１８ａ及びプリンタ１８ｂを有する。モニタ１８ａは、給油所の係員の入力操作に応じて設定された表示画面を表示する。また、プリンタ１８ｂは、例えば、給油所の閉店時にその日に給油を行った油液の各油種毎の給油量、給油金額、料金先払いのプリペイドカード７１の発券枚数やカード購入のための入金金額などを印字した伝票を発行する。
【００１５】
管理コンピュータ１８の記憶装置１９には、油種単価及び発行済みの全プリペイドカード７１の流通カード残高（給油可能金額データ）、各給油ノズルの給油量、給油金額、各油種別の給油量、給油金額、プリペイドカード７１の新規発券枚数、書換え枚数、加金枚数及び金額、現金給油の金額、軽油税、消費税、ポイントなどその日の給油に関する各数値データなども記憶されている。
【００１６】
設定器１４（１４１〜１４ｎ）は、セルフサービスユニットとも呼ばれており、各計量機１２（１２１〜１２ｎ）に付設されている。また、設定器１４（１４１〜１４ｎ）は、給油を行う操作者（顧客）が所望する油種、給油量または給油金額を入力することにより各計量機１２（１２１〜１２ｎ）での給油を可能にする。尚、管理コンピュータ１８は、計量機１２（１２１〜１２ｎ）及び設定器１４（１４１〜１４ｎ）と通信回線（ＳＳ−ＬＡＮ）２０を介して接続されている。
【００１７】
また、給油所の管理コンピュータ１８は、釣り銭機２４と接続されている。釣り銭機２４は、セルフサービス給油を行った顧客が現金で精算して釣り銭が必要な場合、設定器１４から発行されたレシート（伝票）７４に記載された釣り銭の金額を現金で払い戻す。
【００１８】
給油所に到着した車両の運転者（顧客）は、まず給油エリア１１の空いている計量機１２の前に車両を停車させてから設定器１４の設定操作を行う。そして、設定器１４は、紙幣またはプリペイドカード７１が挿入されて油種が選択されると、管理コンピュータ１８へ設定データ（油種、入金金額）を送信する。これに対し、管理コンピュータ１８は、当該給油ポイントの計量機１２へ給油許可信号を出力する。これで、計量機１２は、給油可能な状態になり、顧客は計量機１２の給油ノズルを車両の給油口（図示せず）に挿入して給油を開始することができる。
【００１９】
図２は設定器１４の概略構成を示すブロック図である。
図２に示されるように、設定器１４は、油種入力部２６と、油種設定部２８と、紙幣挿入部３０と、紙幣識別部３２と、カード挿入部３４と、未使用の新規カードを保管する新規カード保管部（新規カード保管手段）３５と、カードリーダ・ライタ（カードデータ読み取り・書き込み装置）３６と、カード発券スイッチ３７と、確認スイッチ３８と、キャンセルスイッチ３９と、油種表示部４０と、入金金額表示部４２と、単価表示部４３と、レシート発行部４６と、スピーカ４８と、レシート発行スイッチ５０と、釣り銭ランプ５２と、これらを制御する制御部５４と、メモリ（記憶手段）５５とを有する。
【００２０】
制御部５４のメモリ５５には、燃料の供給が開始される前にカードリーダ・ライタ３６に挿入されたプリペイドカード７１が予め設定された所定の使用回数に達したか否かを判定する制御プログラム（使用回数判定手段）と、当該プリペイドカード７１の使用回数が予め設定された所定回数に達したものと判定された場合、燃料の供給が開始される前に新規カード保管部３５に保管されている新規カードに当該プリペイドカード７１に記憶されたデータを書き込み、当該新規カードを発行する制御プログラム（カード発行手段）と、当該プリペイドカード７１の使用回数が予め設定された所定回数に達したものと判定された場合、新規カードが発行されることを報知する制御プログラム（報知手段）が格納されている。
【００２１】
カードリーダ・ライタ３６は、管理コンピュータ１８からの指令、あるいは紙幣挿入部３０に入金された後、カード発券スイッチ３７がオンに操作されると、未使用のカード７１が１００枚程度ストックされたカードストッカー（図示せず）から１枚のカード７１を引き出して紙幣識別部３２で識別された入金金額のデータを当該カード７１に磁気記憶させた新規のプリペイドカード７１を発行する。
【００２２】
また、カードリーダ・ライタ３６は、プリペイドカード７１の使用回数が限度回数（例えば、３１回）に達した場合、当該プリペイドカード７１への磁気記録及び印字を行わずに新規カードに今回の残金を磁気記録及び印字して新規カードを発行する。尚、カードリーダ・ライタ３６は、使用回数が限度回数に達したプリペイドカード７１を回収するのではなく、使用禁止とする禁止データを磁気記録すると共に、カード裏面に印字する。
【００２３】
油種入力部２６は、操作者が給油する油種（レギュラーガソリン、ハイオクガソリン、軽油のいずれか）を指定するものであり、油種設定部２８は油種入力部２６により入力された油種を今回給油する油種情報として設定する。
【００２４】
紙幣挿入部３０には、給油前に現金１万円札、５千円札、２千円札、千円札のいずれかが挿入される。そして、紙幣識別部３２では、紙幣挿入部３０に挿入された紙幣の鑑定を行って、紙幣の入金金額を検出する。
【００２５】
また、カード挿入部３４は、給油料金をプリペイドカード７１で精算する場合、プリペイドカード７１が挿入される。そして、カードリーダ・ライタ３６では、カード挿入部３４に挿入されたプリペイドカード７１に記録された金額データ（残金データ）または金額に対応する度数データ、あるいは会員番号、あるいは会社コードを読み取る。また、プリペイドカード７１の場合、磁気ストライプ（磁気記憶部）に給油金額を差し引いた金額（残金）を書き込む。
【００２６】
また、カード発券スイッチ３７は、顧客自身が新しいプリペイドカード７１を購入する際に操作させるスイッチであり、例えば、千円、２千円、５千円、一万円といった入金された紙幣金額に応じた金額データが書き込まれた新しいプリペイドカード７１を取得するためのものである。
【００２７】
確認スイッチ３８は、油種表示部４０に表示された油種及び入金金額表示部４２に表示された入金金額を確認されると、押圧操作される。単価表示部４３は、各油種毎の１リットル当りの単価を表示する。また、キャンセルスイッチ３９は、入力した設定事項（油種や入金金額）をキャンセルする際に操作されるスイッチである。
【００２８】
レシート発行部４６は、給油終了後、給油した油種、給油量、給油金額、入金金額、釣り銭金額を印字したレシート７４を発行する。スピーカ４８は、油種設定の操作方法や入金方法や釣り銭を受け取る場合の方法を音声でガイダンスする。
【００２９】
レシート発行スイッチ５０は、給油終了後に顧客がレシート発行を希望する場合に押圧操作されるものである。また、釣り銭ランプ５２は、給油終了後に点灯してお釣りがあることを顧客に報知するものである。
【００３０】
図３は設定器１４に設けられた操作パネルの一例を示す正面図である。
図３に示されるように、設定器１４の操作パネル５６は、▲１▼プリカ／紙幣挿入→プリカをお持ちの方→残金の少ない方は紙幣も挿入して下さい→プリカを挿入→▲２▼へ進む。プリカ購入の方→紙幣挿入口→発券ボタンを押す→プリカを取る→プリカを挿入→▲２▼へ進む。現金給油の方→紙幣挿入口→▲３▼へ進む。▲２▼油の種類を押す、▲３▼確認→選んだ油の種類と金額を確認したらＹＥＳボタンを押し給油して下さい、ＮＯボタンを押すと、紙幣、プリカが返却されます。▲４▼プリカ／レシートを取る→レシートが必要な方はランプ点滅中にレシートボタンを押して下さい、といった操作手順が記載されている。
【００３１】
「▲１▼プリカ／紙幣挿入」の欄には、紙幣挿入部（紙幣返却も行う）３０と、カード挿入部（発券及びカード返却も行う）３４と、カード発券スイッチ３７と、入金金額表示部４２と、単価表示部４３が配置されている。
さらに、「▲２▼油の種類を押す」の欄には、給油する油種を指定するための油種入力部２６として軽油選択スイッチ５８、ハイオク選択スイッチ６０、レギュラー選択スイッチ６２が配置されている。また、軽油選択スイッチ５８、ハイオク選択スイッチ６０、レギュラー選択スイッチ６２は、ランプが内蔵されており、後述するようにオンに操作されると点灯して選択された油種であることを表示する。
【００３２】
「▲３▼確認」の欄には、確認スイッチ（ＹＥＳスイッチ）３８と、キャンセルスイッチ（ＮＯスイッチ）３９とが設けられている。
「▲４▼プリカ／レシートを取る」の欄には、レシート発行部４６と、レシート発行スイッチ５０とが設けられている。尚、レシート発行スイッチ５０は、ランプが内蔵されており、給油後に点滅してレシート発行の有無を知らせる。
【００３３】
図４はプリペイドカードの裏面に記載される給油料金支払いデータの一例を示す図である。
図４に示されるように、プリペイドカード７１は、磁気カードからなり給油金額を上書きできるリライト方式のプリペイドカードである。そして、このプリペイドカード７１の裏面には、給油料金を支払うための給油可能金額（残金）データ及び入金データが印字されている。この給油可能金額（残金）データ及び入金データは、３０回まで印字することができる。従って、プリペイドカード７１の裏面に記載された給油可能金額（残金）データにより過去の給油料金の支払い状況を確認することができる。
また、プリペイドカード７１は、表面に金額データ及び使用回数（入金による加金も１回とする）磁気記録される磁性材が被覆された磁気ストライプ（磁気記憶部）７１ａが形成されている。
【００３４】
そして、カードリーダ・ライタ３６は、プリペイドカード７１が挿入されると、磁気記録された残金データ（残金金額）及び使用回数を読み取ることができると共に、給油終了後に給油料金を差し引いた金額を給油料金精算後の残金データとして更新できる。
【００３５】
また、本実施例では、磁気記憶部７１ａに記憶された使用回数を読み取ることで、プリペイドカード７１の使用回数を認識する構成であるが、プリペイドカード７１の使用回数を認識する方法としては、これに限らず、例えば、プリペイドカード７１の裏面に印字された文字数あるいは印字領域を識別することで使用回数を認識することも可能である。
【００３６】
ここで、上記燃料供給システムにおける設定器１４が実行する制御処理について説明する。
図５は設定器１４の制御部５４が実行する制御処理を説明するためのフローチャートである。
図５に示されるように、設定器１４の制御部５４は、ステップＳ１１（以下「ステップ」を省略する）で紙幣挿入部３０に紙幣が挿入されると、Ｓ１２に進み、入金金額表示部４２に入金された金額を表示する。
【００３７】
次のＳ１３では、カード発券スイッチ３７がオンに操作されたかどうかをチェックする。Ｓ１３において、カード発券スイッチ３７がオンに操作されると、Ｓ１４に進み、新規カード保管部３５に保管されている新規カードに入金された金額を磁気記録すると共に、カード裏面に入金金額を印字する。
【００３８】
また、Ｓ１５では、当該新規カードに使用回数を磁気記録する。そして、カード挿入部３４から新規カードを発行する（Ｓ１６）。続いて、表示された金額をリセットする（Ｓ１７）。これで、入金金額が記憶された新規カードの発行処理を終了する。
【００３９】
また、上記Ｓ１１において、紙幣挿入部３０に紙幣が挿入されないときは、Ｓ１８に進み、プリペイドカード７１がカード挿入部３４に挿入されたかどうかをチェックする。Ｓ１８において、プリペイドカード７１がカード挿入部３４からカードリーダ・ライタ３６に挿入されると、Ｓ１９に進み、プリペイドカード７１の磁気記憶部７１ａに記録された使用回数データを読み込み、当該プリペイドカード７１の使用回数が限度回数（例えば、３０回）以上かどうかをチェックする。
【００４０】
Ｓ１９において、当該プリペイドカード７１の使用回数が限度回数（例えば、３０回）以上のときは、Ｓ２０に進み、図６に示されるように、当該プリペイドカード７１に使用禁止データを記憶させる。次のＳ２１では、当該プリペイドカード７１をカード挿入部３４から排出させる。
【００４１】
続いて、Ｓ２２に進み、カード挿入部３４から当該プリペイドカード７１が引き抜かれかどうかをチェックする（カード抜き取り判定手段）。Ｓ２２において、カード挿入部３４から当該プリペイドカード７１が引き抜かれたときは、Ｓ２３に進み、新規カード保管部３５に保管されている新規カードに当該プリペイドカード７１の最後に記憶された金額データを記憶させると共に、カード裏面に金額データを印字してカード挿入部３４から当該新規カードを発行する。
【００４２】
このように、本実施例では、給油前のＳ２０，Ｓ２１で使用済みのプリペイドカード７１を使用禁止にした後、続いて、給油前のＳ２３で新規カードを発行するため、顧客が新規カードの発行に気付かずに帰ってしまうことを防止できる。
【００４３】
次のＳ２４では、カード挿入部３４から当該新規カードが引き抜かれかどうかをチェックする（カード抜き取り判定手段）。Ｓ２４において、カード挿入部３４から当該新規カードが引き抜かれたときは、使用済みのプリペイドカード７１の排出処理と新規カードのカード発行処理を終了する。
【００４４】
また、上記Ｓ２４において、カード挿入部３４から当該新規カードが引き抜かれないときは、Ｓ２５に進み、予め設定された所定時間が経過したかどうかをチェックする。Ｓ２５において、所定時間が経過するまでにカード挿入部３４から当該新規カードが引き抜かれないときは、Ｓ２６に進み、プリペイドカード取り忘れをアラームあるいは音声メッセージなどにより顧客に報知する（報知手段）。
【００４５】
このように、本実施例では、Ｓ２６で図６に示されるように、当該プリペイドカード７１の裏面に印字して使用限度に達したことを顧客に知らせると共に、新規カードが発行されることを予告することができ、顧客が新規カードの発行に気付かずに帰ってしまうことを防止できる。
【００４６】
Ｓ２７では、給油所の事務所の端末装置にプリペイドカードの取り忘れ信号を出力し、当該取り忘れ信号が入力された端末装置はその旨を給油所の係員に報知する（報知手段）。続いて、Ｓ２８に進み、再度、カード挿入部３４から当該新規カードが引き抜かれかどうかをチェックする（カード抜き取り判定手段）。Ｓ２８において、カード挿入部３４から当該新規カードが顧客あるいは係員によって引き抜かれたときは、Ｓ２９に進み、上記Ｓ２６の報知、及びＳ２７の信号出力を停止し、今回のカード発行処理を終了する。
【００４７】
また、上記Ｓ２２において、何らかの理由でカード挿入部３４から当該プリペイドカード７１が引き抜かれないときは、Ｓ３０に進み、予め設定された所定時間が経過したかどうかをチェックする。Ｓ３０において、所定時間が経過するまでにカード挿入部３４から当該新規カードが引き抜かれないときは、Ｓ３１に進み、プリペイドカード取り忘れをアラームあるいは音声メッセージなどにより顧客に報知する（報知手段）。
【００４８】
続いて、Ｓ３２では、給油所の事務所の端末装置にプリペイドカードの取り忘れ信号を出力して給油所の係員に報知する（報知手段）。次のＳ３３では、再度、カード挿入部３４から当該新規カードが引き抜かれかどうかをチェックする（カード抜き取り判定手段）。Ｓ３３において、カード挿入部３４から当該新規カードが引き抜かれたときは、Ｓ３４に進み、上記Ｓ３１の報知、及びＳ３２の信号出力を停止し、上記Ｓ２３に移行する。
【００４９】
また、上記Ｓ１９において、当該プリペイドカード７１の使用回数が限度回数（例えば、３０回）未満のときは、Ｓ３６に進み、紙幣挿入部３０に紙幣が挿入されたかかどうかをチェックする。Ｓ３６で紙幣挿入部３０に紙幣が挿入されたときは、Ｓ３７に進み、入金金額表示部４２に入金された金額を表示する。
【００５０】
この後は、前述したＳ１３に移行してＳ１３〜Ｓ１７の発券処理を実行する。
【００５１】
また、上記Ｓ３６において、紙幣挿入部３０に紙幣が挿入されないときは、Ｓ３８に進み、油種選択されたかどうかをチェックする。Ｓ３８において、軽油選択スイッチ５８、ハイオク選択スイッチ６０、レギュラー選択スイッチ６２の何れかがオンに操作されると、オンになったスイッチの油種が設定される。これと共に、当該油種の単価から当該プリペイドカード７１に記憶された金額データから給油可能な給油量を上限として給油可能となる。
【００５２】
次のＳ３９で、確認スイッチ（ＹＥＳスイッチ）３８がオンに操作されると、Ｓ４０に進み、給油処理を実行する。すなわち、給油ノズル（図示せず）が計量機のノズル掛け（図示せず）から外されてノズルスイッチ（図示せず）がオンになると、ポンプ（図示せず）が起動され、給油ノズルの主弁が開弁操作されて給油開始されると、給油量が計測されて表示される。この場合、プリペイドカード７１に記憶された金額データから給油可能な給油量を上限として満タン給油あるいはプリセット給油が行われる。
【００５３】
そして、給油ノズルが計量機のノズル掛けに戻されてノズルスイッチがオフになると、ポンプが停止して給油処理が終了する。
【００５４】
次のＳ４１では、今回給油された給油料金を差し引いた残金がプリペイドカード７１に磁気記録されると共に、カード裏面に残金が印字される。続いて、Ｓ４２に進み、プリペイドカード７１に使用回数が記憶される。
【００５５】
その後、カード挿入部３４からプリペイドカード７１を発行する（Ｓ４３）。続いて、表示された金額をリセットする（Ｓ４４）。これで、プリペイドカード７１を用いた場合の給油処理及び給油後のカード発行処理を終了する。
【００５６】
尚、上記実施例では、プリペイドカード７１が磁気記録部を有するものとしたが、これに限らず、他の記憶形式のカード（例えば、ＩＣカードやメモリカード等）を使用できるのは勿論である。
【００５７】
また、上記実施例では、給油所で油液を給油する場合について説明したが、これに限らず、ガソリンや軽油以外の燃料として、例えば、ＣＮＧ，ＬＰＧ，ＬＮＧあるいは燃料電池で使用される水素等を供給する燃料供給システムにも適用できるのは勿論である。
【００５８】
また、上記実施例では、セルフサービス方式の計量機で給油する構成の給油システムを一例として挙げたが、これに限らず、本発明は給油所の係員が給油操作を行う通常の給油システムにも適用できるのは勿論である。
【００５９】
【発明の効果】
上述の如く、請求項１の発明によれば、予め支払われた金額のデータを記録されたカードが挿入されるカードデータ読み取り・書き込み装置と、カードデータ読み取り・書き込み装置に挿入されたカードから読み取られた情報に基づいて燃料を供給する燃料供給装置とを備えてなる燃料供給システムにおいて、新規カードを保管する新規カード保管手段と、燃料供給装置による燃料の供給が開始される前にカードデータ読み取り・書き込み装置に挿入されたカードが予め設定された所定の使用回数に達したか否かを判定する使用回数判定手段と、使用回数判定手段により当該カードの使用回数が予め設定された所定回数に達したものと判定された場合、燃料供給装置による燃料の供給が開始される前に当該カードに記憶されたデータを新規カード保管手段に保管されている新規カードに書込み、当該新規カードを発行するカード発行手段と、を備えたため、給油前に新規カードを発行することで顧客が新規カードの発行に気付かずに帰ってしまうことを防止できる。
【００６０】
また、請求項２の発明によれば、カード発行手段により発行された新規カードが、当該カード発行手段より抜き取られたか否かを判定するカード抜き取り判定手段と、カード抜き取り判定手段が新規カードの抜き取りがされていないことを検出した場合には、新規カードの取り忘れを報知する報知手段と、を設けたため、当該カードが使用限度に達して新規カードが発行された際に新規カードの取り忘れを防止できる。
【図面の簡単な説明】
【図１】本発明になる給油システムの一実施例の構成を示すブロック図である。
【図２】設定器１４の概略構成を示すブロック図である。
【図３】設定器１４に設けられた操作パネルの一例を示す正面図である。
【図４】プリペイドカードの裏面に記載される給油料金支払いデータの一例を示す図である。
【図５】設定器１４の制御部５４が実行する制御処理を説明するためのフローチャートである。
【図６】限度回数に達したプリペイドカードへの印字例を示す図である。
【符号の説明】
１２（１２１〜１２ｎ）　計量機
１４（１４１〜１４ｎ）　設定器
１８　管理コンピュータ
１８ａ　モニタ
１８ｂ　プリンタ
１９　記憶装置
２６　油種入力部
２８　油種設定部
３０　紙幣挿入部
３２　紙幣識別部
３４　カード挿入部
３５　新規カード保管部
３６　カードリーダ・ライタ
３７　カード発券スイッチ
３８　確認スイッチ
３９　キャンセルスイッチ
４０　油種表示部
４２　入金金額表示部
４３　単価表示部
４６　レシート発行部
５０　レシート発行スイッチ
５２　釣り銭ランプ
５６　操作パネル
５８　軽油選択スイッチ
６０　ハイオク選択スイッチ
６２　レギュラー選択スイッチ
７１　プリペイドカード
【図１】
2004035100.tif 000003
【図２】
2004035100.tif 000004
【図３】
2004035100.tif 000005
【図４】
2004035100.tif 000006
【図５】
2004035100.tif 000007
【図６】
2004035100.tif 000008